(57)【特許請求の範囲】
【請求項１】
前後一対の縦材（１），（１）とこれら縦材（１），（１）の間に架設される横架材（２）とからなり横方向に複数列設される枠体（Ｂ）と、対向する上記枠体（Ｂ），（Ｂ）の上記横架材（２），（２）の間に架設される足場板（３）とを備える枠組足場に取り付けられる安全手摺（Ａ）であって、対向する上記枠体（Ｂ），（Ｂ）の上記縦材（１），（１）の間に配置される手摺本体（４）と、この手摺本体（４）の左右一対の縦支柱（４０ｌ），（４０ｒ）にそれぞれ取り付けられる左右一対のフック（５ｌ），（５ｒ）とを備え、上記各フック（５ｌ），（５ｒ）が対向する上記横架材（２），（２）に引っ掛かるフック片（５１ａ）をそれぞれ有し、隣り合う上記安全手摺（Ａ），（Ａ）のフック片（５１ａ），（５１ａ）が同じ上記横架材（２）に軸方向に並んで引っ掛かる安全手摺（Ａ）において、
上記左右一対のフック（５ｌ），（５ｒ）は、それぞれ縦支柱（４０ｌ），（４０ｒ）に固定される基端側部材（５０）と、上記基端側部材（５０）に装着されるフック片（５１ａ）とからなり、上記各フック片（５１ａ）は、上記基端側部材（５０）に連結される連結部（５１ｂ）を有すると共に上記左方のフック（５ｌ）の連結部（５１ｂ）の方が右方のフック（５ｒ）の連結部（５１ｂ）よりも長く設定させ、
更に、上記右方のフック（５ｒ）の上記フック片（５１ａ）よりも上記左方のフック（５ｌ）の上記フック片（５１ａ）を上記フック片（５１ａ）の厚み分上記縦支柱（４０ｌ），（４０ｒ）に対して足場板側に配置させ、
反足場板側に配置される上記右方のフック（５ｒ）の上記フック片（５１ａ）の反足場板側面に突起（５１ｃ）からなる誤組防止手段を設け、
上記左方のフック（５ｌ）のフック片(５１a)が上記右方のフック（５ｒ）のフック片（５１ａ）より反足場板側に組み込まれた時上記各フック片（５１a)、（５１a)間に突起（５１ｃ）による隙間を発生させて誤組を発見させることを特徴とする安全手摺。
【発明の詳細な説明】
【技術分野】
【０００１】
この発明は、建築現場や土木工事で使用さる枠組足場に取り付けられる安全手摺の改良に関する。
【背景技術】
【０００２】
建築現場や土木工事で使用される枠組足場に取り付けられる安全手摺は、例えば、特許文献１に開示されるように、前後一対の縦材とこれら縦材の間に架設される横架材とからなり横方向に複数列設される枠体と、対向する枠体の横架材の間に架設される足場板とを備える枠組足場に取り付けられる。
【０００３】
また、上記安全手摺は、対向する枠体の縦材の間に配置される手摺本体と、この手摺本体の左右一対の縦支柱にそれぞれ取り付けられる左右一対のフックとを備える。
【０００４】
そして、上記手摺本体が上記左右一対の縦支柱と、これら縦支柱の上端の間に架け渡される手摺棒とを備え、隣り合う安全手摺の左側のフック片及び右側のフック片が同じ横架材に軸方向に並んでそれぞれ引っ掛かる。
【先行技術文献】
【特許文献】
【０００５】
【特許文献１】特開２００６−３２８６５２号公報
【特許文献２】特開２００８−０２５２５４号公報
【発明の概要】
【発明が解決しようとする課題】
【０００６】
しかしながら、上記従来の安全手摺において、隣り合う安全手摺の左側のフック片及び右側のフック片が同じ横架材に軸方向に並んで引っ掛かるため、上記各フック片が縦支柱に対して同一の位置に設けられていると、隣り合う安全手摺の手摺棒が前後にずれる不具合がある。
【０００７】
この場合には、例えば、特許文献２に開示されるガイドを手摺棒に摺動自在に取り付けた場合、隣り合う安全手摺の手摺棒間をガイドが移動することができない。
【０００８】
そこで、本発明の目的は、隣り合う安全手摺の手摺棒が前後にずれることを防止して、誤組みを防止することが可能な安全手摺を提供することである。
【課題を解決するための手段】
【０００９】
上記課題を解決するための手段は、前後一対の縦材とこれら縦材の間に架設される横架材とからなり横方向に複数列設される枠体と、対向する上記枠体の上記横架材の間に架設される足場板とを備える枠組足場に取り付けられる安全手摺であって、対向する上記枠体の上記縦材の間に配置される手摺本体と、この手摺本体の左右一対の縦支柱にそれぞれ取り付けられる左右一対のフックとを備え、上記各フックが対向する上記横架材に引っ掛かるフック片をそれぞれ有し、隣り合う上記安全手摺のフック片が同じ上記横架材に軸方向に並んで引っ掛かる安全手摺において、上記左右一対のフックは、それぞれ縦支柱に固定される基端側部材と、上記基端側部材に装着されるフック片とからなり、上記各フック片は、上記基端側部材に連結される連結部を有すると共に上記左方のフックの連結部の方が右方のフックの連結部よりも長く設定させ、更に、上記右方のフックの上記フック片よりも上記左のフックの上記フック片を上記フック片の厚み分上記縦支柱に対して足場板側に配置させ、反足場板側に配置される上記右方のフックの上記フック片の反足場板側面に突起からなる誤組防止手段を設け、上記左方のフックのフック片が上記右方のフックのフック片より反足場板側に組み込まれた時上記各フック片、間に突起による隙間を発生させて誤組を発見させることを特徴とするものである。
【発明の効果】
【００１０】
本発明によれば、右方のフックのフック片よりも左方のフックのフック片が、このフック片の厚み分縦支柱に対して足場板側に配置される。
すなわち、左方のフックの連結部が右方のフックの連結部よりも長く設定されているから、フック片の厚み分、縦支柱に対して左方のフックのフック片が右方のフックのフック片よりも足場板側に配置される。
【００１１】
したがって、例えば、一方の安全手摺と他方の安全手摺とを隣り合わせに配置し、一方のフックを左側のフック、他方のフックを右側のフックとした場合、横架材に引っ掛かる一方の安全手摺の右側のフックのフック片の足場板側に他方の安全手摺の左側のフックのフック片を上記横架材に引っ掛けることにより、左右の縦支柱の上端の間に架け渡される手摺棒が前後にずれることを防止することが可能となる。
【００１２】
また、左右のフック若しくは左右何れかのフックが誤組み防止手段を有することにより、誤組みを防止して正しい位置に左右のフックのフック片を配置することが可能となる。
【図面の簡単な説明】
【００１３】
【図１】本発明の一実施の形態に係る安全手摺を枠組足場に取り付けた状態を示す斜視図である。
【図２】（ａ）は、本発明の一実施の形態に係る安全手摺における左側のフックを拡大して示す平面図であり、（ｂ）は、（ａ）の正面図である。
【図３】（ａ）は、本発明の一実施の形態に係る安全手摺における右側のフックを拡大して示す平面図であり、（ｂ）は、（ａ）の正面図である。
【図４】本発明の一実施の形態に係る安全手摺を枠組足場に横方向に並べて取り付けた状態を部分的に示す平面図であり、（ａ）は正しい取り付け状態を、（ｂ）は誤組みした状態を示す。
【図５】本発明の一実施の形態に係る安全手摺を示す正面図である。
【図６】図５のＸ−Ｘ´線切断部端面図である。
【図７】（ａ）は、本発明の一実施の形態に係る安全手摺における右側の枠押え金具を拡大して示す平面図であり、（ｂ）は、（ａ）の正面図である。
【図８】（ａ）は、本発明の一実施の形態に係る安全手摺における左側の閂金具を拡大して示す平面図であり、（ｂ）は、（ａ）の正面図である。
【図９】（ａ）は、本発明の一実施の形態に係る安全手摺における右側の閂金具を拡大して示す平面図であり、（ｂ）は、（ａ）の正面図である。
【発明を実施するための形態】
【００１４】
以下に本発明の一実施の形態を示す安全手摺について、図面を参照しながら説明する。いくつかの図面を通して付された同じ符号は、同じ部品かまたはそれに対応する部品を示す。
【００１５】
図１に示すように、本実施の形態に係る安全手摺Ａは、前後一対の縦材１，１とこれら縦材１，１の間に架設される横架材２とからなり横方向に複数列設される枠体Ｂと、対向する上記枠体Ｂ，Ｂの上記横架材２，２の間に架設される足場板３とを備える枠組足場に取り付けられる。
【００１６】
また、上記安全手摺Ａは、対向する上記枠体Ｂ，Ｂの上記縦材１，１の間に配置される手摺本体４と、この手摺本体４の左右一対の縦支柱４０ｌ，４０ｒにそれぞれ取り付けられる左右一対のフック５ｌ，５ｒとを備える。
【００１７】
そして、図２，図３に示すように、上記各フック５ｌ，５ｒが対向する上記横架材２，２に引っ掛かるフック片５１ａをそれぞれ有し、図４（ａ）に示すように、隣り合う上記安全手摺Ａ，Ａのフック片５１ａ，５１ａが同じ上記横架材２に軸方向に並んで引っ掛かる。
【００１８】
さらに、上記一方のフックたる右側のフック５ｒの上記フック片５１ａよりも上記他方のフックたる左側のフック５ｌの上記フック片５１ａが上記フック片５１ａの厚み分上記縦支柱４０ｌ，４０ｒに対して足場板３側に配置され、上記右側のフック５ｒが誤組み防止手段たる突起５１ｃを有する。
【００１９】
以下に詳細に説明すると、本実施の形態に係る安全手摺Ａは、図１に示すように、枠組足場を多段状に組み立てる際に、既に設置された下段側の足場板（図示せず）から新設する上段側足場板３の先行仮設手摺として取り付けられる。
【００２０】
上記安全手摺Ａは、上記したように、対向する縦材１，１の間に配置される手摺本体４と、この手摺本体４を枠組足場に取り付ける取り付け手段とを備えてなる。
【００２１】
上記手摺本体４は、図５に示すように、左右一対の縦支柱４０ｌ，４０ｒと、これら縦支柱４０ｌ，４０ｒの上端の間に架け渡される手摺棒４１と、上記縦支柱４０ｌ，４０ｒの間に架設される上下の横つなぎ４２，４３と、これら横つなぎ４２，４３の間に架設される左右の縦つなぎ４４，４５とからなる。
【００２２】
また、上記縦支柱４０ｌ，４０ｒは、図５，図６に示すように、中空のパイプからなり、この縦支柱４０ｌ，４０ｒ内には補強部材４６がそれぞれ挿入される。
【００２３】
尚、図６には、右側の縦支柱４０ｒのみを示すが、左側の縦支柱４０ｌにも右側の縦支柱４０ｒと同様に補強部材４６が挿入される（図５）。
【００２４】
そして、これら補強部材４６は、中空のパイプからなり、図５に示すように、下側の横つなぎ４３から上記縦支柱４０ｌ，４０ｒの略中央に亘って配置される。
【００２５】
上記手摺本体４を枠組足場に取り付ける取り付け手段は、両縦支柱４０ｌ，４０ｒに取り付けられてなり、図５中上側から左右一対の枠押え金具６ｌ，６ｒ、左右一対のフック５ｌ，５ｒ、左右一対の閂金具７ｌ，７ｒとからなる。
【００２６】
上記各枠押え金具６ｌ，６ｒは、図７に示すように、それぞれが板状に形成されて対向する前後一対の挟持金具６０，６１と、これら挟持金具６０，６１をつなぐ縦支柱４０ｌ，４０ｒ側及び縦材１側の架設片６２，６３と、上記挟持金具６０，６１の基端部を貫通すると共に上記縦支柱４０ｌ，４０ｒを前後に貫通するボルト６４と、このボルト６４の先端に螺合するナット６５とを備える。
【００２７】
尚、図７には、右側の枠押え金具６ｒのみを示すが、左側の枠押え金具６ｌは、右側の枠押え金具６ｒと左右対称であり、同一の構成を有するものである。
【００２８】
そして、上記両挟持金具６０，６１の先端部が離間すると共に、上記架設片６２の縦支柱４０ｌ，４０ｒ側端部がこの縦支柱４０ｌ，４０ｒの外周に沿って湾曲し、架設片６３の縦材側１，１端部が縦材１，１の外周に沿うよう湾曲してなり、上記枠押え金具６ｌ，６ｒは、挟持金具６０，６１の基端部の間に縦支柱４０ｌ，４０ｒを配置した状態でボルト固定され、挟持金具６０，６１の先端部及び架設片６３の湾曲する端部で縦材１，１を支持する。
【００２９】
また、上記各枠押え金具６ｌ，６ｒの下側に配置される上記各フック５ｌ，５ｒは、上記補強部材４６の略中央に位置し、図２，図３に示すように、縦支柱４０ｌ，４０ｒに固定される基端側部材５０と、この基端側部材５０に着脱可能に装着され上記横架材２に引っ掛かるフック片５１ａを有する引掛部材５１とからなる。
【００３０】
上記基端側部材５０は、背面（反足場板側）が円弧状に形成されて縦支柱４０ｌ，４０ｒの外周に沿う湾曲片５０ａと、この湾曲片５０ａから延設されて対向する前後一対の挟持片５０ｂ，５０ｃとを備えてなり、これら挟持片５０ｂ，５０ｃの間に上記引掛部材５１を挟持する。
【００３１】
上記湾曲片５０ａは、縦支柱４０ｌ，４０ｒの外周正面（足場板側）に溶接固定され、上記基端側部材５０は、挟持片５０ｂ，５０ｃの間に引掛部材５１を挟んだ状態でリベット５２を打つことにより、挟持片５０ｂ，５０ｃの間に引掛部材５１を挟持する。
【００３２】
また、上記挟持片５０ｂ，５０ｂは、上記湾曲片５０から手前側（足場板側）に斜めに配置される。
【００３３】
そして、上記引掛部材５１は、円弧状に形成されて対向する横架材２に引っ掛かるフック片５１ａと、このフック片５１ａから延設されて上記挟持片５０ｂ，５０ｃの間に挟持される連結部５１ｂとを備えてなる。
【００３４】
上記フック片５１ａは、横架材２に直交するよう配置され、その下面が略半円状に形成されて横架材２の上側半外周面に当接するよう設定される。
【００３５】
また、上記連結部５１ｂは、上記挟持片５０ｂ，５０ｃに沿うよう上記フック片５１ａから奥側（反足場板側）に斜めに配置される。
【００３６】
尚、本実施の形態において、左右のフック５ｌ，５ｒにおける引掛部材５１，５１の形状が若干異なり、左側のフック５ｌ（図５）の連結部５１ｂが右側のフック５ｒ（図６）の連結部５１ｂよりも長く設定され、フック片５１ａの前後の厚み分、縦支柱４０ｌ，４０ｒに対して左側のフック５ｌのフック片５１ａが右側のフック５ｒのフック片５１ａよりも手前側（足場板側）に配置される。
【００３７】
さらに、図６に示すように、上記右側のフック５ｒにおいて、そのフック片５１ａの背面（反足場板側面）には、誤組み防止手段たる突起５１ｃが設けられている。
【００３８】
そして、上記各フック５ｌ，５ｒの下側に取り付けられる各閂金具７ｌ，７ｒは、図１に示すように縦材１，１の間に取り付けられるブレス８を避けるため、上下にずれて配置される。
【００３９】
図８，図９に示すように、各閂金具７ｌ，７ｒは、縦支柱４０ｌ，４０ｒの下端部が挿通する環状の環状部７０と、この環状部７０から対向する縦材１側に延設される延設部７１と、この延設部７１の背面側（反足場板側）端部から縦材１の外周背面に沿って湾曲しながら手前側（足場板側）に延設される抱持片７２と、上記延設部７１の正面側（足場板側）端部から抱持片７２の先端部に対向して延設される支持片７３とからなる。
【００４０】
そして、各閂金具７ｌ，７ｒの上記各抱持片７２，７２で縦材１，１を抱持した状態で、支持片７３，７３を左右に貫通する孔７３ａから抱持片７２，７２の先端部を左右に貫通する孔７２ａにかけて楔７４，７４を打ち込むことにより、各閂金具７ｌ，７ｒを縦材１，１に固定することが可能となる。
【００４１】
更に、縦材１，１に固定した両閂金具７ｌ，７ｒの環状部７０，７０に上記両フック５ｌ，５ｒを取り付けた手摺本体Ａの縦支柱４０ｌ，４０ｒを挿通し、上記両フック５ｌ，５ｒを対向する横架材２，２に引っ掛けることにより、既に設置された足場板から新設する上段の足場板３の安全手摺を先行して取り付けることができる。
【００４２】
つまり、本実施の形態において、手摺本体４を構成する縦支柱４０ｌ，４０ｒが中空のパイプからなり、この縦支柱４０ｌ，４０ｒ内に補強用の補強部材４６が挿入されることから、強度を要する縦支柱４０ｌ，４０ｒの一部のみを補強部材４６で補強することが可能となる。
【００４３】
したがって、縦支柱４０ｌ，４０ｒの肉厚を従来よりも薄くしても作業者が足場板から落下したときの衝撃に耐えることが可能となり、従来よりも安全手摺Ａを軽量化することが可能となる。
【００４４】
また、本実施の形態において、上記補強部材４６が縦支柱４０ｌ，４０ｒの下部から略中央に亘って設けられ、補強部材４６の略中央にフック５ｌ，５ｒが位置する。
【００４５】
したがって、作業者が足場板から落下した際の衝撃が手摺本体４に作用したとき、補強部材４６で縦支柱４０ｌ，４０ｒが倒れることを確実に防止することが可能となる。
【００４６】
また、本実施の形態において、フック５が縦支柱４０ｌ，４０ｒに溶接固定される基端側部材５０と、この基端側部材５０に着脱可能に装着される引掛部材５１とからなり、この引掛部材５１に横架材２に引っ掛かるフック片５１ａが形成される。
【００４７】
したがって、フック片５１ａが変形した場合には、引掛部材５１のみを交換すれば良く、引掛部材５１は基端側部材５０にリベット５２で固定されていることから、縦材に溶接固定されている従来のフックと比較してフック片５１ａの交換を容易にすることが可能となる。
【００４８】
また、本実施の形態において、図２，図３に示すように、右側のフック５ｒのフック片５１ａよりも左側のフック５ｌのフック片５１ａがフック片５１ａの厚み分縦支柱４０ｌ，４０ｒに対して手前側（足場板側）に配置される。
【００４９】
したがって、図４（ａ）に示すように、右側の安全手摺Ａと左側の安全手摺Ａとを隣り合わせに配置し、同じ横架材２に引っ掛かる右側の安全手摺Ａの右側のフック５ｒのフック片５１ａよりも左側の安全手摺Ａの左側のフック５ｌのフック片５１ａを手前側（足場板側）に引っ掛けることにより、手摺棒４１が同軸に配置され前後にずれることを防止することが可能となる。
【００５０】
また、本実施の形態における右側のフック５ｒにおいて、そのフック片５１ａの背面に突起５１ｃが設けられていることから、図４に示すように、同じ横架材２に右側のフック５ｒと左側のフック５ｌを引っ掛けるとき、上記突起５１ｃは、左側のフック６ｌのフック片５１ａが右側のフック５ｒのフック片５１ａ奥側（反足場板側）に配置されること（図４（ｂ））、即ち、誤組みを防止することが可能となる。
【００５１】
また、本実施の形態において、誤組み防止手段が突起５１ｃからなることにより、誤組みしたときには、図４（ｂ）に示すように、同じ横架材２に引っ掛かる左右のフック片５１ａ，５１ａの間に隙間Ｓができるため、誤組みの発見が容易である。
【００５２】
さらに、本実施の形態において、誤組み防止手段が手前側に位置する右側のフック５ｒにおけるフック片５１ａの背面に配置されることから、左側のフック５ｌにおけるフック片５１ａの正面に突起を形成する場合と比較して閂金具７ｌに楔７４を打ち込む際の妨げとならない。
【００５３】
以上、本発明の好ましい実施の形態を詳細に説明したが、特許請求の範囲から逸脱することなく改造、変形及び変更を行うことができることは理解すべきである。
【００５４】
例えば、上記実施の形態においては、補強部材４６が中空のパイプからなるとしたが、中実柱状部材からなるとしてもよく、補強部材４６の形状や長さは適宜選択することが可能である。
【００５５】
また、上記実施の形態において、誤組み防止手段が突起５１ｃからなるとしたがこの限りではなく、左右のフック５ｌ，５ｒを着色することにより誤組みを防止するとしても良く、また、突起５１ｃを設ける位置も図示する限りではない。
【００５６】
また、上記実施の形態において、一方のフックを右側のフック５ｒ、他方のフックを左側のフック５ｌとしたが、一方のフックを左側のフック５ｌ、他方のフックを右側のフック５ｒとしても良い。
【００５７】
また、図示しないが、上記誤組み防止手段を、正しい取り付け位置において対向する左右のフック５ｌ，５ｒの一方の対向面に突起を、他方の対向面に上記突起が係合する溝を設けても良く、この場合においては、突起が溝に係合しない場合に誤組みであることを判断することが可能となる。
【符号の説明】
【００５８】
Ａ  安全手摺
Ｂ  枠体
１  縦材
２  横架材
３  足場板
４  手摺本体
５ｌ，５ｒ  フック
６ｌ，６ｒ  枠押え金具
７ｌ，７ｒ  閂金具
４０ｌ，４０ｒ  縦支柱
４１  手摺棒
５０  基端側部材
５０ａ  湾曲片
５０ｂ，５０ｃ  挟持片
５１  引掛部材
５１ａ  フック片
５１ｂ  連結部
５１ｃ  突起
５２  リベット
６０，６１  挟持金具
６２，６３  架設片
７０  環状部
７１  延設部
７２  抱持片
７３  支持片
７４  楔
【図１】
0005848515.tif 000002
【図２】
0005848515.tif 000003
【図３】
0005848515.tif 000004
【図４】
0005848515.tif 000005
【図５】
0005848515.tif 000006
【図６】
0005848515.tif 000007
【図７】
0005848515.tif 000008
【図８】
0005848515.tif 000009
【図９】
0005848515.tif 000010